【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
プロキシエンジンにおいて、送信側であって、第２のアドレス空間とのネットワーク境界において該プロキシエンジンおよびファイヤウォールとともに第１のアドレス空間内にある送信側から受信側にメディアストリームを送信するメディアセッションを確立する方法であって、
前記ファイヤウォールのアドレスおよびポートの組をアドレスソースプールに割当てるステップと、
前記メディアストリームが前記第１のアドレス空間と前記第２のアドレス空間の間の前記ネットワーク境界を横切るか否かを判定するステップと、
前記メディアストリームが前記ネットワーク境界を横切る場合、
前記第１のアドレス空間内にあるどのメディアリレーを使用すべきかを判定するステップと、
前記ファイヤウォールの少なくとも１つのポートを有するメディアパスを前記メディアストリームのために予約するよう前記メディアリレーに指示するステップと、
前記少なくとも１つのポートが予約されたときは、
前記ファイヤウォールの少なくとも１つのポートの予約を一時記憶装置に格納して、前記メディアセッションの前記メディアストリームが前記ファイヤウォールの少なくとも１つのポートを使用するようにするステップ、
アドレス識別子を前記アドレスリソースプールから予約されたアドレス識別子に変更するステップ、
前記メディアストリームのアドレス識別子が前記予約されたアドレス識別子に変更
されるようにセッション記述を変更するステップ、および
前記セッション記述をメッセージで前記受信側に送信するステップ
を有するステップと
を含むステップと
を備えたことを特徴とする方法。
【請求項２】
前記少なくとも１つのポートが予約されていない場合、前記セッションを終了させるステップをさらに備えたことを特徴とする請求項１に記載の方法。
【請求項３】
前記一時記憶装置に格納されている予約を解除するステップをさらに備えたことを特徴とする請求項２に記載の方法。
【請求項４】
前記メディアパスを予約するよう前記メディアリレーに指示するステップは、前記メディアパスを予約するようメディアコンフィグレータに指示するステップを含むことを特徴とする請求項１に記載の方法。
【請求項５】
前記メディアセッションのイベントメッセージ（ＥＭ）セッションコンテキストを形成するステップをさらに備えたことを特徴とする請求項１に記載の方法。
【請求項６】
前記ＥＭセッションコンテキストをプロキシエンジンに送信するステップをさらに備えたことを特徴とする請求項５に記載の方法。
【請求項７】
前記セッション記述の送信に応答してセッション確認済みメッセージを受信するステップと、
前記メディアストリームが前記境界空間を横切る場合、
前記メディアパスを開くよう前記メディアリレーに指示するステップと、
前記メディアパスを介して前記送信側から前記受信側にメディアを送信するステップと
を含むステップと
をさらに備えたことを特徴とする請求項１に記載の方法。
【請求項８】
前記メディアセッションのイベントメッセージコンテキストを取得するステップをさらに備えたことを特徴とする請求項７に記載の方法。
【請求項９】
前記メディアパスを開くよう前記メディアリレーに指示するステップは、前記メディアパスを開くようメディアコンフィグレータに指示するステップを含むことを特徴とする請求項７に記載の方法。
【請求項１０】
前記メディアリレーが前記メディアパスを開かない場合、前記メディアセッションを終了するステップをさらに備えたことを特徴とする請求項７に記載の方法。
【請求項１１】
前記メディアパスを開くよう前記メディアリレーに指示するステップは、少なくとも１つのポートを開くステップを含むことを特徴とする請求項７に記載の方法。
【請求項１２】
前記セッションを終了するステップをさらに備えたことを特徴とする請求項７に記載の方法。
【請求項１３】
前記メディアセッションを終了するステップは、前記メディアパスを閉じるよう前記メディアリレーに指示するステップを含むことを特徴とする請求項１２に記載の方法。
【請求項１４】
前記メディアパスを閉じるよう前記メディアリレーに指示するステップは、
前記メディアパスのアドレスパラメータを取得するステップと、
どのメディアコンフィグレータが前記メディアリレーを制御しているかを判定するステップと、
前記メディアパスの前記アドレスパラメータを有し、前記メディアパスを閉じるよう前記メディアリレーに指示する要求を前記メディアコンフィグレータに送信するステップと
を有することを特徴とする請求項１３に記載の方法。
【請求項１５】
前記メディアセッションを終了するステップは、前記メディアセッションが終了した後セッション終了メッセージをプロキシエンジンに送信するステップを含むことを特徴とする請求項１２に記載の方法。
【請求項１６】
送信側であって、第２のネットワークとのネットワーク境界においてプロキシエンジンおよびファイヤウォールとともに第１のネットワーク内にある送信側と、受信側との間のメディアセッションを該プロキシエンジンが確立するためのコンピュータ実行可能命令を有するコンピュータ読取可能な記録媒体であって、前記コンピュータ実行可能命令は、
前記メディアが前記ネットワーク境界を横切る場合、前記ファイヤウォールの少なくとも１つのポートを含むメディアパスを予約するよう前記第１のネットワーク内にあるメディアリレーに指示するステップと、
前記メディアセッションのアドレス識別子を、前記少なくとも１つのポートを含む予約されたアドレス識別子に変更するようにセッション記述を変更するステップと、
前記メディアセッションの変更されたセッション記述を、前記予約されたアドレス識別
子とともに、前記メディアセッションの受信側に送信するステップと
を実行することを特徴とするコンピュータ読取可能な記録媒体。
【請求項１７】
セッション確認済みメッセージの受信に応答して前記メディアパスを開くよう前記メディアリレーに指示するステップと、
前記メディアパスを介して前記メディアセッションの前記受信側にメディアを送信するステップと
を実行するコンピュータ読取可能命令をさらに有することを特徴とする請求項１６に記載のコンピュータ読取可能な記録媒体。
【請求項１８】
前記メディアセッションを終了するステップを実行するコンピュータ読取可能命令をさらに有することを特徴とする請求項１７に記載のコンピュータ読取可能な記録媒体。
【請求項１９】
前記メディアセッションを終了するステップは、前記メディアパスを閉じるよう前記メディアリレーに指示するステップを含むことを特徴とする請求項１８に記載のコンピュータ読取可能な記録媒体。
【請求項２０】
前記メディアパスを閉じるよう前記メディアリレーに指示するステップは、前記メディアパスを閉じるようメディアコンフィグレータに指示するステップを有することを特徴とする請求項１９に記載のコンピュータ読取可能な記録媒体。
【請求項２１】
どのメディアリレーを使用すべきかを判定するステップと、
前記少なくとも１つのポートが予約されている場合、前記少なくとも１つのポートの予約を一時記憶装置に格納するステップと
を実行するコンピュータ読取可能命令をさらに有することを特徴とする請求項１６に記載のコンピュータ読取可能な記録媒体。
【請求項２２】
前記メディアパスを開くよう前記メディアリレーに指示するステップは、前記メディアパスを開くようメディアコンフィグレータに指示するステップを含むことを特徴とする請求項１６に記載のコンピュータ読取可能な記録媒体。
【手続補正２】
【補正対象書類名】明細書
【補正対象項目名】発明の名称
【補正方法】変更
【補正の内容】
【発明の名称】ネットワーク境界を横切るメディアストリームのリレーを制御する方法および媒体